(57)【特許請求の範囲】
【請求項１】
空間（Ａ）〜（Ｄ）を形成するための複数の隔壁（２ａ）〜（２ｄ）の縁部（１０ａ）〜（１０ｄ）を気密に連結・分離する連結分離機構において、隔壁（２ａ）〜（２ｄ）の縁部（１０ａ）〜（１０ｄ）を固定した第一〜第四の環状の連結要素（１ａ）〜（１ｄ）を有し、環の内側と外側に配置される第一と第四の連結要素（１ａ）、（１ｄ）は、対向するそれぞれ外周側と内周側に正負の勾配の接合面（３ａ）、（３ｄ）が周方向にわたって形成され、これら第一と第四の連結要素（１ａ）、（１ｄ）を挟んで対向するよう配置される第二と第三の連結要素（１ｂ）、（１ｃ）は、前記第一と第四の連結要素（１ａ）、（１ｄ）の接合面（３ａ）、（３ｄ）に気密に接合する正負の勾配の接合面（３ｂ）、（３ｃ）が周方向にわたって形成され、第一と第四の連結要素（１ａ）、（１ｄ）に対して接合面（３ａ）、（３ｄ）、（３ｂ）、（３ｃ）が接合した第二と第三の連結要素（１ｂ）、（１ｃ）にそれぞれ当接して保持する一対ずつのストッパ（６）、（６）が第一と第四の連結要素（１ａ）、（１ｄ）に貫通した軸（５）、（５）の両端に回転自在に設けられていることを特徴とする隔壁連結分離機構。
【請求項２】
第二と第三の連結要素（１ｂ）、（１ｃ）の接合面（３ｂ）、（３ｃ）は、内外接した前記第一と第四の連結要素（１ａ）、（１ｄ）の接合面（３ａ）、（３ｄ）の間に嵌まり込むものであることを特徴とする請求項１に記載の隔壁連結分離機構。
【請求項３】
第二と第三の連結要素（１ｂ）、（１ｃ）の接合面（３ｂ）、（３ｃ）は、内外接した前記第一と第四の連結要素（１ａ）、（１ｄ）の接合面（３ａ）、（３ｄ）を間に挟み込むものであることを特徴とする請求項１に記載の隔壁連結分離機構。
【発明の詳細な説明】
【技術分野】
【０００１】
本発明は、例えば、放射能に汚染されて無い空間に対し仕切壁により仕切られた放射能に汚染された空間において、その空間の中に放射能に汚染されていない小空間を設け、この小空間を汚染された空間に晒すことなく、汚染されて無い外部空間に連通したり遮断する機構に関する。さらには汚染されていない前記の小空間を汚染された空間の中で自由に移動出来るように分離出来るようにした隔壁連結分離機構に関する。
【背景技術】
【０００２】
原子力施設等において、放射能に汚染された空間の中で作業する場合、吸排気管を接続して内部の吸排気をすると共に、内部を外部に対して若干加圧した、いわゆるエアラインスーツ等の汚染防護服を着用する。汚染防護服を着用して作業するときは、その汚染防護服の内側は放射能に汚染されていなくとも、その外側は放射能に汚染されていることから、放射能に汚染された空間から放射能に汚染されていない外部へ人が移動する際は、汚染防護服の外部の汚染を除去する必要がある。しかしながら、この汚染の除去には多くの手間を要する。
【０００３】
下記特許文献７である特開平４−１０５０９９号公報には、汚染防護服を着用した状態で汚染区域の中を通らずに、作業者が非汚染区域から汚染防護服の中に出入りすることを可能とした出入機構が提案されている。この機構においては、汚染区域と非汚染区域との間を隔離する側壁の出入り口開口部に対して汚染防護服の蓋体を着脱するのにネジを使用することから、その蓋体の着脱操作が面倒で、操作に熟練が必要であるという課題があった。
【０００４】
これに対し、下記特許文献３である特開２００２−２６７７９４号公報には、接合及び脱離手段として加熱により形状変化を生じる形状記憶合金を含むリングと、このリングを用いる防護服及び出入機構が記載されている。これにより、隔壁に形成された出入り口開口部に蓋体を着脱する際に、ネジやボルトの使用を必要としない出入機構が構成出来る。これによれば、隔壁に形成された出入り口開口部を蓋体で密閉したりあるいはその蓋体を脱離させるときに、その接合及び脱離にネジを必要としない。よって、着脱操作を行う者が熟練を要せず作業者が迅速にかつ安全にその開口部から出入りすることができる。
【０００５】
しかしながら、前記機構では、隔壁に形成された出入り口開口部を蓋体で密閉したり、或いはその蓋体を脱離させるときに、その接合及び脱離手段としての形状記憶合金を含むリングをヒータで所定の温度に加熱する必要がある。そのため、ヒータ等の熱源が必要となり、またその温度管理も必要であるため、装置の構成、その操作共に複雑となりやすい。また、形状記憶合金を含むリングが熱変形し、開口部の蓋体が離脱してしまうような温度に晒される環境下では使用出来ない。
【先行技術文献】
【特許文献】
【０００６】
【特許文献１】特開２００７−１３７４７７号公報
【特許文献２】特表２００２−５１０７８８号公報
【特許文献３】特開２００２−２６７７９４号公報
【特許文献４】特開平１１−５０２０３０号公報
【特許文献５】特開平０８−５００７５号公報
【特許文献６】特開平０５−２８８８９４号公報
【特許文献７】特開平０４−１０５０９９号公報
【特許文献８】特開平０４−９５６６７号公報
【発明の開示】
【発明が解決しようとする課題】
【０００７】
本発明は、前記従来の隔壁連結分離機構における課題に鑑み、ネジを使用せず、また形状記憶合金も使用せずに、簡単な操作で迅速に複数の隔壁の縁部を気密に連結、分離することが出来る隔壁連結分離機構を提供することを目的とする。例えば隔壁は複数の気密に分離された空間を形成するためのもので、この隔壁連結分離機構により、複数の空間を気密に分離し或いは連結出来るようにすることを目的とする。
【課題を解決するための手段】
【０００８】
本発明では、前記の目的を達成するため、同心状に配置される４つの環状の連結要素１ａ〜１ｄを用い、これら連結要素１ａ〜１ｄに設けた勾配を有する接合面３ａ〜３ｄを互いに気密に接合して連結するようにした。この逆に接合面３ａ〜３ｄを互いに分離することにより、連結要素１ａ〜１ｄの一部又は全体を容易に分離出来るようにした。これにより、環状の連結要素１ａ〜１ｄに気密な空間Ａ〜Ｄを形成するための隔壁２ａ〜２ｄの縁部１０ａ〜１０ｄを固定しておくと、これら複数の空間Ａ〜Ｄを気密に分離し或いは連結し、さらに隔壁２ａ〜２ｄを分離することが出来る。またそれらの連結要素１ａ〜１ｄをそれらの接合面３ａ〜３ｄが接合した状態で保持する保持手段を設けることにより、連結手段を容易に保持出来することも出来る。
【０００９】
すなわち、本発明による空間Ａ〜Ｄを形成するための複数の隔壁２ａ〜２ｄの縁部１０ａ〜１０ｄを気密に連結・分離する隔壁連結分離機構は、隔壁２ａ〜２ｄの縁部１０ａ〜１０ｄを固定した第一〜第四の環状の連結要素１ａ〜１ｄを有する。このうち環の内側と外側に対向して配置される第一と第四の連結要素１ａ、１ｄは、それぞれ外周側と内周側に正負の勾配の接合面３ａ、３ｄが周方向にわたって形成されている。また、これら第一と第四の連結要素１ａ、１ｄを挟んで対向して配置される第二と第三の連結要素１ｂ、１ｃは、前記第一と第四の連結要素１ａ、１ｄの接合面３ａ、３ｄに気密に接合する正負の勾配の接合面３ｂ、３ｃが周方向にわたって形成されている。さらに第一と第四の連結要素１ａ、１ｄに対して接合面３ａ、３ｄ、３ｂ、３ｃが接合した第二と第三の連結要素１ｂ、１ｃにそれぞれ当接して保持する一対ずつのストッパ６、６が第一と第四の連結要素１ａ、１ｄに貫通した軸５、５の両端に回転自在に設けられている。
【００１０】
この隔壁連結分離機構のより具体的な構成について説明すると、前記第二と第三の連結要素１ｂ、１ｃの接合面３ｂ、３ｃは、内外接した前記第一と第四の連結要素１ａ、１ｄの接合面３ａ、３ｄの間に嵌まり込む。或いは第二と第三の連結要素１ｂ、１ｃの接合面３ｂ、３ｃは、内外接した前記第一と第四の連結要素１ａ、１ｄの接合面３ａ、３ｄを間に挟み込む。
【００１１】
このような隔壁連結分離機構では、第一と第四の連結要素１ａ、１ｄを同心状にそれぞれ内側と外側に対向して配置し、第二と第三の連結要素１ｂ、１ｃを同心状に中心軸方向に対向して配置する。さらに第二と第三の連結要素１ｂ、１ｃの接合面３ｂ、３ｃを第一と第四の連結要素１ａ、１ｄの接合面３ａ、３ｄに気密に接合する。これにより、第一〜第四の隔壁２ａ〜２ｄの縁部１０ａ〜１０ｄを気密に接合することが出来る。すなわち、第一〜第四の空間Ａ〜Ｂを隔てる第一〜際四の隔壁２ａ〜２ｄの開口の縁部１０ａ〜１０ｄが第一〜第四の連結要素１ａ〜１ｄを介して気密に連結されることにより、それら第一〜第四の空間Ａ〜Ｂが気密に閉じられる。
【００１２】
他方、前記の状態から、第二と第三の連結要素１ｂ、１ｃの何れかを環の中心軸方向にずらし、それらの接合面３ｂ、３ｃの何れかを第一と第四の連結要素１ａ、１ｄの接合面３ａ、３ｄから離すと、第一と第四の連結要素１ａ、１ｄは、第二又は第三の連結要素１ｂ、１ｃによる押さえが外れ、分離することが出来る。これを第二と第三の連結要素１ｂ、１ｃの双方について行えば、全ての連結要素１ａ〜１ｄを互いに分離することが出来る。
【００１３】
このようにして、第一と第四の連結要素１ａ、１ｄに対して第二と第三の連結要素１ｂ、１ｃは、環の中心軸方向にずらして分離することが出来る。他方、第一と第四の連結要素１ａ、１ｄに対して第二と第三の連結要素１ｂ、１ｃをその方向にずらして分離できないように保持手段を設ければ、第一と第四の連結要素１ａ、１ｄに対して第二と第三の連結要素１ｂ、１ｃを拘束し、分離しないように保持することも出来る。さらに第一と第四の連結要素１ａ、１ｄに対して第二と第三の連結要素１ｂ、１ｃにそれぞれ当接して保持する一対ずつのストッパ６、６が第一と第四の連結要素１ａ、１ｄに貫通した軸５、５の両端に回転自在に設けられているので、後述するように、第一と第四の連結要素１ａ、１ｄに対する第二と第三の連結要素１ｂ、１ｃの一方または双方の保持と分離とを行うことが出来る。
【発明の効果】
【００１４】
以上説明した通り、本発明による隔壁連結分離機構では、ネジを使用せず、また形状記憶合金も使用せずに、簡単な操作で迅速に複数の隔壁２ａ〜２ｄの開口の縁部１０ａ〜１０ｄを気密に連結、分離することが出来る。これにより、複数の空間Ａ〜Ｄを仕切る隔壁２ａ〜２ｄの開口の縁部１０ａ〜１０ｄを連結要素１ａ〜１ｄを介して連結し、或いは分離することにより、複数の空間Ａ〜Ｄを気密に仕切り、或いは一部の空間を連絡したり、あるいは気密に閉じた空間を他の空間内で自由に移動出来るよう分離することも出来る。
【図面の簡単な説明】
【００１５】
【図１】本発明の隔壁連結分離機構の一実施例を示す連結要素が分離した状態の半断面斜視図である。
【図２】本発明の隔壁連結分離機構の一実施例を示す連結要素が分離した状態の部分断面斜視図である。
【図３】本発明の隔壁連結分離機構の一実施例を示す連結要素が分離した状態の断面部拡大図である。
【図４】本発明の隔壁連結分離機構の一実施例を示す連結要素が結合した状態の断面部拡大図である。
【図５】本発明の隔壁連結分離機構の一実施例を示す結合した連結要素に隔壁の開口の縁部を固定した状態を連結要素の断面部のみ拡大した図である。
【図６】本発明の隔壁連結分離機構の一実施例を示す一部分離した連結要素に隔壁の開口の縁部を固定した状態を連結要素の断面部のみ拡大した図である。
【図７】本発明の隔壁連結分離機構の一実施例を示す一部分離した連結要素に隔壁の開口の縁部を固定した状態を連結要素の断面部のみ拡大した図である。
【図８】本発明の隔壁連結分離機構の他の実施例を示す連結要素が結合した状態の断面部拡大図である。
【図９】本発明の隔壁連結分離機構の他の実施例を示す連結要素が結合した状態の断面部拡大図である。
【発明を実施するための形態】
【００１６】
本発明では、環状の第一〜第四の連結要素１ａ〜１ｄを用意し、それらに勾配を有する接合面３ａ〜３ｄを設け、環の内外に配置した第一と第四の連結要素１ａ、１ｄの接合面３ａ、３ｄに、これら第一と第四の連結要素１ａ、１ｄを挟んで対向して配置した第二と第三の連結要素１ｂ、１ｃの接合面３ｂ、３ｄが接合することで、第一〜第四の連結要素１ａ〜１ｄが相互に気密に連結されるようにした。
以下、本発明を実施するための最良の形態について、実施例をあげて詳細に説明する。
【００１７】
図１〜図４に示すように、隔壁連結分離機構は、ステンレス、アルミニウム等の金属又はＡＢＳ樹脂、ポリイミド樹脂等の合成樹脂からなる環状の第一〜第四の連結要素１ａ〜１ｄを有する。図示の例では、第一〜第四の連結要素１ａ〜１ｄは円形リング状のもので、それらの径方向に断面した形状は、後述するねじ孔９ａ、９ｄを除いて周方向に均一である。第一〜第四の連結要素１ａ〜１ｄの形状を合わせれば、それらは円形以外のリング状のものであってもよい。例えば、楕円、角がＲ付き（曲線付き）の矩形等であっもよい。
【００１８】
図１と図２では、第一〜第四の連結要素１ａ〜１ｄを、図１において一点鎖線で示した中心軸の方向にずらして配置した図である。また、図３と図４は、第一〜第四の連結要素１ａ〜１ｄの断面部の形状を拡大して示している。図３は図１と図２に示したのと同様に、第一から第四の連結要素１ａ〜１ｄを、図１において一点鎖線で示した中心軸の方向にずらして配置した図であり、図４は、第一から第四の連結要素１ａ〜１ｄを、重ね合わせて接合した図である。
【００１９】
第一〜第四の連結要素１ａ〜１ｄのうち、第一と第四の連結要素１ａ、１ｄは、径が大小異なり、第一の連結要素１ａの最大外径は、第四の連結要素１ｄの最小内径と同じかまたはそれより小さい。図示の例では、それらの最大外径と最小内径は等しい。従ってこれら第一と第四の連結要素１ａ、１ｄを同心状に配置した場合、第一の連結要素１ａを囲んで第四の連結要素１ｄが外接する。
【００２０】
第一の連結要素１ａの外周側と第四の連結要素１ｄの内周側には、その径方向に対して正負の勾配３ａ、３ｄを有している。この勾配３ａ、３ｄにより第一の連結要素１ａの外周側と第四の連結要素１ｄの内周側には、峰状となった隆起が周方向にわたって形成されている。この正負の勾配３ａ、３ｄにより形成された峰状の隆起は、当該第一と第四の連結要素１ａ、１ｄを径方向に重ね合わせたとき、図４に示されたように、頂部が対向して突き合わせられる。この付き合わせられた状態では、第一と第四の連結要素１ａ、１ｄの勾配３ａ、３ｄにより、図４において上下に溝状部分、すなわちＶ字形の凹面が周方向にわたって形成される。
【００２１】
他方、第二と第三の連結要素１ｂ、１ｃの径は同じであり、その内径は、前記第一の連結要素１ａの最大外径より小さく、その外径は、前記第四の連結要素１ｄの最小内径より大きい。第二と第三の連結要素１ｂ、１ｃには、正負の勾配を有する接合面３ｃ、３ｄが形成されている。これら正負の勾配を有する接合面３ｃ、３ｄにより、第二と第三の連結要素１ｂ、１ｃには、峰状の凸面が周方向にわたって形成されている。
【００２２】
これら第二と第三の連結要素１ｂ、１ｃの接合面３ｃ、３ｄの勾配は、前記第一と第四の連結要素１ａ、１ｄの接合面３ａ、３ｄの勾配に対応している。従って図４に示されたように、第一の連結要素１ａに第四の連結要素１ｄが外接するように重ね合わせると共に、これら第一と第四の連結要素１ａ、１ｄを挟むように第二と第三の連結要素１ｂ、１ｃを対向して配置した状態から、第二と第三の連結要素１ｂ、１ｃの接合面３ｃ、３ｄにより形成される峰状の部分を、第一と第四の連結要素１ａ、１ｄの勾配面３ａ、３ｄにより形成される溝状の部分に嵌合することが出来る。このとき、第二と第三の連結要素１ｂ、１ｃの接合面３ｃ、３ｄは第一と第四の連結要素１ａ、１ｄの勾配面３ａ、３ｄに気密に面接触する。
【００２３】
第一と第四の連結要素１ａ、１ｄには、その中心軸と平行に周方向に等角度間隔で複数の孔９ａ、９ｄが設けられている。この孔９ａ、９ｄには軸５、５が挿入され、この軸５、５の両端にストッパ６、６が取り付けられている。ストッパ６、６は、側面がクランク状に曲げられた金属板状のもので、その基端側に前記軸５、５を通す孔が設けられている。
【００２４】
孔９ａ、９ｄに挿入された軸５、５の両端に前記ストッパ６、６の基端部が回転自在に嵌め込まれ、その外側にコイルスプリング８、８が嵌め込まれ、さらにその外側に抜け止めフランジ７、７が取り付けられている。コイルスプリング８、８は予め圧縮されて初期応力を付与した状態でストッパ６、６と抜け止めフランジ７、７との間に挿入され、このコイルスプリング８、８の弾力が抜け止めフランジ７、７から反力を得てストッパ６、６に作用している。このコイルスプリング８、８の弾力でストッパ６、６の先端部が第一〜第四の連結要素１ａ〜１ｄに当接する。
【００２５】
既に述べた通り、図１〜図３に示すように、第一から第四の連結要素１ａ〜１ｄを、図１において一点鎖線で示したそれらの中心軸の方向にずらして配置した状態から、図４に示すように、第一から第四の連結要素１ａ〜１ｄを、重ね合わせて接合することが出来る。この状態では、第一の連結要素１ａの外側に第四の連結要素１ｄが外接している。さらに、この内外接した第一と第四の連結要素１ａ、１ｄの勾配面３ａ、３ｄにより形成される溝状の部分に第二と第三の連結要素１ｂ、１ｃの接合面３ｃ、３ｄにより形成される峰状の部分が嵌合されている。
【００２６】
この状態では、第二と第三の連結要素１ｂ、１ｃが図４においてそれぞれ上下に移動し、第一と第四の連結要素１ａ、１ｄとの嵌合状態が外れなければ、これら４つの連結要素１ａ〜１ｄを分離することは出来ない。すなわち、前記のストッパ６、６の先端部を第二と第三の連結要素１ｂ、１ｃに当接して、それらが第一と第四の連結要素１ａ、１ｄから離脱しないように保持することにより、４つの連結要素１ａ〜４ｄの連結状態が外れないように保持することが出来る。このように、第一と第四の連結要素１ａ、１ｄに設けた軸５、５に取り付けられたストッパ６、６は、第一と第四の連結要素１ａ、１ｄに第二と第三の連結要素１ｂ、１ｃを保持する保持手段としての機能を有する。
【００２７】
この状態から第二と第三の連結要素１ｂ、１ｃを第一と第四の連結要素１ａ、１ｄから分離するには、軸５、５を中心としてストッパ６、６を回転し、図３に示すように、その先端部を第二と第三の連結要素１ｂ、１ｃから外せばよい。これにより、第二と第三の連結要素１ｂ、１ｃを、第一と第四の連結要素１ａ、１ｄから抜くことが出来る。この状態ではさらに図３に示すように、第一と第四の連結要素１ａ、１ｄを互いにずらして分離することが出来る。前記のストッパ６、６は、第一と第四の連結要素１ａ、１ｄに設けた軸５、５の両端にそれぞれ取り付けられ、第二と第三の連結要素１ｂ、１ｃにそれぞれ当接するため、第二と第三の連結要素１ｂ、１ｃの双方の保持又は分離と片方のみの保持又は分離とを、ストッパ６、６の軸５、５に対する回転により任意に行うことが出来る。
【００２８】
図５〜図７は、このような隔壁連結分離機構を汚染防護服の入出機構に適用した例を示している。隔壁２ａ〜２ｄは、何れもその開口の縁部１０ａ〜１０ｄが環状の連結要素１ａ〜１ｄにそれぞれ気密に取り付けられている。第一の連結要素１ａに設けた隔壁２ａは汚染防護服の頭部を形成し、第三の連結要素１ｃに設けた隔壁２ｃは汚染防護服の体幹部、腕部及び脚部の本体部分を形成している。第二の連結要素１ｂに設けた隔壁２ｂは汚染防護服の頭部の外側に設けた仕切り壁を形成し、第四の連結要素１ｄに設けた隔壁２ｄは汚染空間Ｃと非汚染空間Ｄとを仕切る仕切り壁を形成している。ここで汚染空間はＢとＣ、非汚染空間はＡとＤである。
【００２９】
図５は、第一と第四の連結要素１ａ、１ｄが互いに内外接すると共に、第二と第三の連結要素１ｂ、１ｃがその第一と第四の連結要素１ａ、１ｄの内外接した部分に嵌合されている状態である。この状態では、空間Ａ〜Ｄは、隔壁２ａ〜２ｄにより気密に仕切られている。第一と第四の連結要素１ａ、１ｄに設けた軸５、５の両端のストッパ６、６の先端部を第二と第三の連結要素１ｂ、１ｃに当接させると、第一〜第四の連結要素１ａ〜１ｄは互いに固定され、分離しない。
【００３０】
図６は、第一と第四の連結要素１ａ、１ｄにそれぞれ第二と第三の連結要素１ｂ、１ｃを伴ったまま分離した状態である。この状態では、非汚染空間である空間ＡとＤが通じるが、汚染空間である空間ＢとＣは他の空間と気密に分離されている。このとき第一の連結要素１ａの一方のストッパ６の先端部を第二の連結要素１ｂに当接させ、第四の連結要素１ｄの一方のストッパ６の先端部を第三の連結要素１ｃに当接させると、第一の連結要素１ａと第二の連結要素１ｂとの固定と、第四の連結要素１ｄと第三の連結要素１ｃとの固定が維持される。この状態では、汚染防護服である隔壁２ａ、２ｃの中に人が出入りすることが出来る。
【００３１】
図７は、第一と第四の連結要素１ａ、１ｄにそれぞれ第三と第二の連結要素１ｃ、１ｂを伴ったまま分離した状態である。この状態では、非汚染空間である空間ＡとＤが閉じられた状態で互いに分離し、汚染空間である空間ＢとＣが互いに通じる。このとき第一の連結要素１ａの一方のストッパ６の先端部を第三の連結要素１ｃに当接させ、第四の連結要素１ｄの一方のストッパ６の先端部を第二の連結要素１ｂに当接させると、第一の連結要素１ａと第三の連結要素１ｃとの固定と、第四の連結要素１ｄと第二の連結要素１ｂとの固定が維持される。またこの状態では、隔壁２ｂ、２ｄから汚染防護服である隔壁２ａ、２ｃが分離されるため、汚染防護服に人が入ったまま汚染空間Ｃの中を移動し、作業することが出来る。
【００３２】
図８に隔壁連結分離機構の他の実施例を示す。図１〜図７により説明した前述の隔壁連結分離機構では、内外接した第一と第四の連結要素１ａ、１ｄの接合面３ａ、３ｄにより形成される溝は断面Ｖ字形であり、これに対向する第二と第三の連結要素１ｂ、１ｃの接合面３ｃ、３ｄにより形成される峰状部分も断面Ｖ字形である。これに対し、図８に示した連結分離機構では、内外接した第一と第四の連結要素１ａ、１ｄの接合面３ａ、３ｄにより形成される溝が断面台形であり、これに対向する第二と第三の連結要素１ｂ、１ｃの接合面３ｃ、３ｄにより形成される峰状部分も断面台形である。このように、接合面３ａ〜３ｄの断面形状は、気密性を保持した接合を可能とする機能を失わない限り変えることが出来る。例えば曲面状の勾配面であってもよい。図８に示した実施態様の他の部分は図１〜図７により説明した前述の隔壁連結分離機構と同様であり、同じ部分は同じ符合で示した。
【００３３】
図９に隔壁連結分離機構の他の実施形態を示す。図１〜図７により説明した前述の隔壁連結分離機構では、内外接した第一と第四の連結要素１ａ、１ｄの接合面３ａ、３ｄにより形成されるのは断面凹状の溝であり、これに対向する第二と第三の連結要素１ｂ、１ｃの接合面３ｃ、３ｄにより形成されるのは断面凸状の峰状部分である。これに対し、図９に示した連結分離機構では、内外接した第一と第四の連結要素１ａ、１ｄの接合面３ａ、３ｄにより断面凸状の峰状の部分が形成され、これに対向する第二と第三の連結要素１ｂ、１ｃの接合面３ｃ、３ｄにより断面凹状のＶ字形溝が形成されている。図９に示した実施態様の他の部分は図１〜図７により説明した前述の隔壁連結分離機構と同様であり、同じ部分は同じ符合で示した。
【産業上の利用可能性】
【００３４】
本発明による隔壁連結分離機構は、簡単な操作で複数の気密空間を遮断、連結することが出来るので、放射能で汚染された空間に囲まれた放射能で汚染されていない空間への出入り、或いは放射能で汚染された空間での作業を目的とした防護服への出入り等を目的とした連結分離機構として利用することが出来る。
【符号の説明】
【００３５】
Ａ〜Ｄ  空間
１ａ〜１ｄ  連結要素
２ａ〜２ｄ  隔壁
３ａ〜３ｄ  連結要素の接合面
５  保持手段の軸
６  保持手段のストッパ
１０ａ〜１０ｄ  隔壁の開口の縁部
【図１】
0005612863.tif 000002
【図２】
0005612863.tif 000003
【図３】
0005612863.tif 000004
【図４】
0005612863.tif 000005
【図５】
0005612863.tif 000006
【図６】
0005612863.tif 000007
【図７】
0005612863.tif 000008
【図８】
0005612863.tif 000009
【図９】
0005612863.tif 000010